(57)【要約】【課題】ユーザによる食材の管理作業が煩雑になるのを抑制することが可能な情報端末装置を提供する。【解決手段】この情報端末装置１００は、食材５の重量を測定する重量測定部３０と、重量測定部３０に一体的に装着され、重量測定部３０により重量が測定された食材５の情報（名称、個数、重量および賞味期限など）が登録される本体部１０とを備え、本体部１０に登録された食材５の情報が本体部１０の表示部２０などを介してユーザに教示されるように構成されている。【選択図】図１
2013160704.tif 000002
【特許請求の範囲】
【請求項１】
食材の重量を測定する重量測定部と、
前記重量測定部に一体的に装着され、前記重量測定部により重量が測定された食材の情報が登録される情報端末本体部とを備え、
前記情報端末本体部に登録された前記食材の情報が前記情報端末本体部により教示されるように構成されている、情報端末装置。
【請求項２】
前記情報端末本体部は、前記重量測定部に対して着脱可能に装着されている、請求項１に記載の情報端末装置。
【請求項３】
前記情報端末本体部は、前記食材の情報を前記情報端末本体部に登録するための入力部を含み、
前記重量測定部により測定された前記食材の重量と、前記入力部を介して入力される前記食材を特定する情報とによって、前記食材の情報が前記情報端末本体部に登録されるように構成されている、請求項１または２に記載の情報端末装置。
【請求項４】
前記食材を特定する情報は、前記入力部を介して前記情報端末本体部に登録される前記食材の個数の情報を含む、請求項３に記載の情報端末装置。
【請求項５】
前記入力部は、少なくとも前記重量測定部により測定された前記食材の重量を表示可能な表示部を有し、
前記食材の情報は、前記表示部を介して前記情報端末本体部に登録されるように構成されている、請求項３または４に記載の情報端末装置。
【請求項６】
前記食材の情報が前記情報端末本体部に登録される際、前記情報端末本体部により前記食材の情報に基づいて前記食材を保管する場所が教示されるように構成されている、請求項１〜５のいずれか１項に記載の情報端末装置。
【請求項７】
前記情報端末本体部に登録された前記食材の情報に基づいて前記情報端末本体部により調理支援が行われるように構成されており、
前記調理支援が行われる際、前記情報端末本体部に登録された前記食材の保管されている場所が前記情報端末本体部により教示されるように構成されている、請求項１〜６のいずれか１項に記載の情報端末装置。
【請求項８】
前記情報端末本体部に登録された前記食材の情報に基づいて前記情報端末本体部により調理支援が行われるように構成されており、
前記食材の情報は、食材の賞味期限を含み、
前記情報端末本体部に登録された複数の食材のうちの賞味期限の早い食材が含まれる料理レシピが優先的に教示されて前記調理支援が行われるように構成されている、請求項１〜７のいずれか１項に記載の情報端末装置。
【請求項９】
前記情報端末本体部に登録された前記食材の情報に基づいて前記情報端末本体部により調理支援が行われるように構成されており、
前記情報端末本体部は、前記食材の情報を記憶するための記憶部をさらに含み、
前記調理支援の際に教示されて決定された料理レシピに含まれる食材が前記記憶部から削除されることにより前記食材の情報が更新されるように構成されている、請求項１〜８のいずれか１項に記載の情報端末装置。
【請求項１０】
前記情報端末本体部は、薄板形状を有しており、
前記重量測定部は、前記薄板形状の前記情報端末本体部を立てた状態で装着するためのスタンド部を一体的に含む、請求項１〜９のいずれか１項に記載の情報端末装置。
【発明の詳細な説明】
【技術分野】
【０００１】
この発明は、情報端末装置に関し、特に、食材の重量を測定する重量測定部を備えた情報端末装置に関する。
【背景技術】
【０００２】
従来、食材の重量を測定する重量測定部を備えた装置が知られている（たとえば、特許文献１参照）。
【０００３】
上記特許文献１には、庫内の収納物（食材）の重量変化を検出する重量検出装置と、重量検出装置の検出結果に基づいて収納物の出し入れの状況を把握する情報処理部とを備えた収納庫が開示されている。この収納庫では、ユーザの発声（音声）を認識して収納庫に出し入れされる食材の種類がメモリ部に記録／更新されるとともに、重量検出装置が測定した食材の重量も同時に記録／更新されて、常に、在庫中の食材の情報（食材の名称および重量）が管理されている。なお、収納庫は、通信ケーブルなどのデータバスを介して収納庫とは離間して別体で設置されたホームコンピュータに接続されている。これにより、ユーザは、収納庫との通信によりホームコンピュータ側で把握してデータベースが更新された食材の在庫状況に基づいて、ホームコンピュータから調理可能な料理を検索することが可能に構成されている。
【先行技術文献】
【特許文献】
【０００４】
【特許文献１】実開昭６４−１３５６２号公報
【発明の概要】
【発明が解決しようとする課題】
【０００５】
上記特許文献１では、収納庫が収納物（食材）の在庫状況を管理する役割のみを担う一方、収納庫とは別置きのホームコンピュータが収納庫内の食材に基づいて調理可能な料理内容を教示する役割を担っている。また、調理可能な料理を検索するためには、ホームコンピュータから収納庫にその都度アクセスして食材の在庫状況を確認してホームコンピュータのデータベースを更新する必要がある。このように、ユーザは、食材の管理作業を収納庫およびホームコンピュータの各々の機器を介して個別に行う必要がある。したがって、ユーザによる食材の管理作業が煩雑になるという問題点がある。
【０００６】
この発明は、上記のような課題を解決するためになされたものであり、この発明の１つの目的は、ユーザによる食材の管理作業が煩雑になるのを抑制することが可能な情報端末装置を提供することである。
【課題を解決するための手段】
【０００７】
この発明の一の局面による情報端末装置は、食材の重量を測定する重量測定部と、重量測定部に一体的に装着され、重量測定部により重量が測定された食材の情報が登録される情報端末本体部とを備え、情報端末本体部に登録された食材の情報が情報端末本体部により教示されるように構成されている。
【０００８】
この発明の一の局面による情報端末装置では、上記のように、重量測定部に一体的に装着され、重量測定部により重量が測定された食材の情報が登録される情報端末本体部を備えることによって、ユーザは、情報端末本体部が一体的に装着された重量測定部を用いて食材の重量を測定して食材の情報を登録することができる。これにより、食材の情報を登録／更新する作業を同じ１つの情報端末本体部を介して行うことができる。この結果、ユーザによる食材の管理作業が煩雑になることを抑制することができる。また、情報端末本体部に登録された食材の情報が情報端末本体部により教示されるように構成されているので、ユーザは、情報端末本体部による食材の登録状況を同じ情報端末本体部を介して容易に把握することができる。これにより、ユーザは、登録された食材を用いての調理計画などを容易に立案することができる。
【０００９】
上記一の局面による情報端末装置において、好ましくは、情報端末本体部は、重量測定部に対して着脱可能に装着されている。このように構成すれば、ユーザは、食材の管理作業を行わない場合には情報端末本体部を重量測定部から取り外して他の用途に使用することができるので、情報端末本体部を有効に活用することができる。また、重量測定部は情報端末本体部から取り外し可能となるので、食材の管理作業を行わない場合に、重量測定部のみを容易に所定の場所に収納することができる。
【００１０】
上記一の局面による情報端末装置において、好ましくは、情報端末本体部は、食材の情報を情報端末本体部に登録するための入力部を含み、重量測定部により測定された食材の重量と、入力部を介して入力される食材を特定する情報とによって、食材の情報が情報端末本体部に登録されるように構成されている。このように構成すれば、重量測定部と重量測定部に一体的に装着された情報端末本体部とによって、食材の管理作業の一環としての調理支援用のデータベースの作成を容易に行うことができる。
【００１１】
上記情報端末本体部が入力部を含む構成において、好ましくは、食材を特定する情報は、入力部を介して情報端末本体部に登録される食材の個数の情報を含む。このように構成すれば、数が数えられる食材については登録された重量のみならずその食材の個数に基づいても管理することができるので、ユーザは、教示される調理支援の内容をより具体的（感覚的）に把握することができる。また、食材の個数の増減によって、食材の補充の有無を確実に把握することができる。
【００１２】
上記情報端末本体部が入力部を含む構成において、好ましくは、入力部は、少なくとも重量測定部により測定された食材の重量を表示可能な表示部を有し、食材の情報は、表示部を介して情報端末本体部に登録されるように構成されている。このように構成すれば、ユーザは、表示部を介した視覚的な情報に基づいて食材の重量を含む食材の情報を情報端末本体部に容易に登録することができる。また、騒音が発生している場所において使用される場合など、音声のみでは操作内容が認識できにくい状況においても、情報端末本体部の表示部は有効な入力手段となりうる。
【００１３】
上記一の局面による情報端末装置において、好ましくは、食材の情報が情報端末本体部に登録される際、情報端末本体部により食材の情報に基づいて食材を保管する場所が教示されるように構成されている。このように構成すれば、登録された食材の適切な保管場所が教示されるので、ユーザは、保管方法を間違えることなく各食材を適切に保管して管理することができる。
【００１４】
上記一の局面による情報端末装置において、好ましくは、情報端末本体部に登録された食材の情報に基づいて情報端末本体部により調理支援が行われるように構成されており、調理支援が行われる際、情報端末本体部に登録された食材の保管されている場所が情報端末本体部により教示されるように構成されている。このように構成すれば、情報端末本体部による調理支援に沿って調理を行う場合の食材の保管場所が教示されるので、ユーザが食材の保管場所を探すことに手間取らない分、ユーザはより迅速でかつ調理支援の内容に沿った調理を行うことができる。
【００１５】
上記一の局面による情報端末装置において、好ましくは、情報端末本体部に登録された食材の情報に基づいて情報端末本体部により調理支援が行われるように構成されており、食材の情報は、食材の賞味期限を含み、情報端末本体部に登録された複数の食材のうちの賞味期限の早い食材が含まれる料理レシピが優先的に教示されて調理支援が行われるように構成されている。このように構成すれば、調理支援に基づきユーザが決定した料理レシピには賞味期限の早い食材が含まれるので、賞味期限を過ぎた食材がいつまでも残されることが抑制される。これにより、情報端末本体部に登録された食材を効率よく使用することができる。
【００１６】
上記一の局面による情報端末装置において、好ましくは、情報端末本体部に登録された食材の情報に基づいて情報端末本体部により調理支援が行われるように構成されており、情報端末本体部は、食材の情報を記憶するための記憶部をさらに含み、調理支援の際に教示されて決定された料理レシピに含まれる食材が記憶部から削除されることにより食材の情報が更新されるように構成されている。このように構成すれば、順次調理に使用されていく食材の情報が料理レシピを基準として管理されるので、登録された食材の情報を有効に活用して継続的に管理することができる。また、使用された食材の情報をユーザにより逐一修正する手間が省略されるので、食材の管理作業が煩雑になることをより抑制することができる。また、ユーザは、食材の最新の登録状況を容易に把握することができる。
【００１７】
上記一の局面による情報端末装置において、好ましくは、情報端末本体部は、薄板形状を有しており、重量測定部は、薄板形状の情報端末本体部を立てた状態で装着するためのスタンド部を一体的に含む。このように構成すれば、ユーザは、重量測定部のスタンド部によって立てられた状態の情報端末本体部を介して食材の情報を容易に登録することができる。また、薄板形状の情報端末本体部が立てられる分、情報端末装置の占有面積が減少されて、調理台などの作業スペースを有効に使用することができる。
【発明の効果】
【００１８】
本発明によれば、上記のように、ユーザによる調理のための食材の管理作業が煩雑になることを抑制することができる。
【図面の簡単な説明】
【００１９】
【図１】本発明の一実施形態による情報端末装置を正面側の斜め前方から見た斜視図である。
【図２】本発明の一実施形態によるテレビジョン装置を背面側の斜め後方から見た斜視図である。
【図３】本発明の一実施形態による情報端末装置の構成を示したブロック図である。
【図４】本発明の一実施形態による情報端末装置が使用される調理支援システムの概略的な構成例を示したブロック図である。
【図５】本発明の一実施形態による情報端末装置を構成する情報端末本体部を用いて食材の情報を登録する際の表示部の構成を示した図である。
【図６】本発明の一実施形態による情報端末装置を構成する情報端末本体部を用いて食材の情報を登録する際の表示部の構成を示した図である。
【図７】本発明の一実施形態による情報端末装置を構成する情報端末本体部を用いて食材の情報を登録する際の表示部の構成を示した図である。
【図８】本発明の一実施形態による情報端末装置を構成する情報端末本体部を用いて食材の情報を登録する際の表示部の構成を示した図である。
【図９】本発明の一実施形態による情報端末装置を構成する情報端末本体部を用いて登録された食材の情報を確認する際の表示部の構成を示した図である。
【図１０】本発明の一実施形態による情報端末装置を構成する情報端末本体部を用いて登録された食材の情報を確認する際の表示部の構成を示した図である。
【図１１】本発明の一実施形態による情報端末装置により調理支援が行われる際の表示部の構成を示した図である。
【図１２】本発明の一実施形態による情報端末装置により調理支援が行われる際の表示部の構成を示した図である。
【図１３】本発明の一実施形態による情報端末装置により調理支援が行われる際の表示部の構成を示した図である。
【図１４】本発明の一実施形態による情報端末装置により調理支援が行われる際の表示部の構成を示した図である。
【図１５】本発明の変形例による情報端末装置を正面側の斜め前方から見た斜視図である。
【発明を実施するための形態】
【００２０】
まず、図１〜図１４を参照して、本発明の一実施形態による情報端末装置の構成について説明する。
【００２１】
本発明の一実施形態による情報端末装置１００は、図１に示すように、所定の厚み（Ｙ方向の厚み）を有して概略薄板形状に形成された本体部１０を備えている。このような本体部１０は、いわゆるタブレット端末と呼ばれており、ユーザの居場所に合わせて屋内でも屋外でも使用することが可能な携帯情報端末機器として構成されている。なお、本体部１０は、本発明の「情報端末本体部」の一例である。
【００２２】
本体部１０は、樹脂製または金属製の筐体１１と、筐体１１の前面側（Ｙ１側）の枠状部１１ａの内側に嵌め込まれた表示部２０とを含んでいる。ここで、本実施形態では、本体部１０は、種々のアプリケーションソフトが実行可能であるように構成されている。また、このようなアプリケーションソフトの中には、本体部１０に予め登録された食材５に基づいてユーザが調理を行うことが可能な料理内容を、図１４に示すような料理レシピ（レシピ表８４）の形式でユーザに提供する調理支援のアプリケーションソフトが含まれている。
【００２３】
また、本体部１０は、ＣＣＤセンサ（撮像素子）が内蔵された撮像部１２と、周囲の環境音（周波数）を集音するマイク１３と、音声を出力するスピーカ１４と、調理用機器群５００（図４参照）を含む外部機器との間での無線通信を行う通信部１５とをさらに含んでいる。また、撮像部１２、マイク１３および通信部１５は、共に、表示部２０の一方側（Ｚ１側）の縁部よりも外側の枠状部１１ａに配置されている。ここで、撮像部１２は長手方向（Ｘ方向）に延びる枠状部１１ａの略中央部に配置されるとともに、マイク１３は、表示部２０の一方側（Ｘ１側）の隅部近傍に対応した枠状部１１ａの部分に配置されている。また、通信部１５は、表示部２０の他方側（Ｘ２側）の隅部近傍に対応した枠状部１１ａの部分に配置されている。また、スピーカ１４は、表示部２０を挟んで撮像部１２とは反対側（Ｚ２側）の枠状部１１ａに配置されている。本実施形態では、本体部１０が実行する調理支援のアプリケーションソフトにおいては、撮像部１２、マイク１３、スピーカ１４および通信部１５がそれぞれの機能を担って動作されるように構成されている。
【００２４】
また、本体部１０は、図３に示すように、筐体１１（図１参照）内に内蔵された制御回路部１６と、制御回路部１６に電力を供給する電源部１７とを含んでいる。制御回路部１６は、ＣＰＵからなり本体部１０の制御を司る制御部１６ａと、撮像部１２によって撮影された被写体の映像を画像信号に変換する撮像信号処理部１６ｂと、アプリケーションソフトや各種データが格納されたＲＯＭ（読取り専用記憶装置）１６ｃと、アプリケーションソフトの実行時に生成される制御データを一時的に格納するＲＡＭ（読取り書込み可能記憶装置）１６ｄとを備えている。また、制御回路部１６の各構成要素は、バス（伝送路）１８によって互いに接続されることによって、制御信号および制御上の各種データを互いに送受信することが可能に構成されている。なお、ＲＡＭ１６ｄは、本発明の「記憶部」の一例である。
【００２５】
表示部２０は、ＬＣＤ（液晶ディスプレイ）からなる表示画面部２１と、表示画面部２１の表面に設けられた静電容量方式のタッチパネル部２２とによって構成されている。情報端末装置１００では、たとえば図５に示されるように、実行されるアプリケーションソフトの画面（動画または静止画）が単に表示画面部２１に表示されるのみならず、表示画面部２１の一部の領域に、複数のキー画像５１が配列されて構成されたキーボード画像５０が表示されるように構成されている。すなわち、表示画面部２１は、表示画面部２１に表示されたキーボード画像５０が、タッチパネル部２２を透過してユーザに視認できるように構成されている。これにより、表示部２０は、ユーザが指や入力ペン（図示せず）などにより各々のキー画像５１に対応したタッチパネル部２２の表面に触れることにより、本体部１０に文字や記号などの情報や、「はい（Ｙｅｓ）」や「いいえ（Ｎｏ）」などの意思判断を入力することが可能な入力部としての機能を兼ね備えている。なお、表示部２０に表示されるキーボード画像５０は、本発明の「入力部」の一例である。
【００２６】
ここで、本実施形態では、情報端末装置１００は、図１に示すように、表示部２０を有する本体部１０に加えて、本体部１０が一体的に装着される重量測定部３０をさらに備えている。また、重量測定部３０は、本体部１０が実行する調理支援のアプリケーションソフトとともに使用されるように構成されている。また、図４に示すように、情報端末装置１００は、台所などを含む調理スペースに配置された調理用機器群５００との通信（無線通信）を行うことにより、各々の調理用機器５０１〜５０７を個別に制御することが可能に構成されている。なお、この点ついては、情報端末装置１００の構成を説明した後に説明する。
【００２７】
重量測定部３０は、脚部３１ａを有して食卓テーブルの上面や台所の調理台（キッチン作業台：図示せず）の上面などの水平面に設置される台座部３１と、台座部３１に内蔵されるとともに載置面３２ａに載置される食材５の重量を測定する測定ユニット３２とを含んでいる。また、台座部３１は、図２に示すように、載置面３２ａの奥側（Ｙ２側）において本体部１０を載置するためのスタンド部３３を一体的に有している。つまり、台座部３１のＹ２側には上方（Ｚ１方向）に所定の傾斜角度を有して延びるスタンド部３３が形成されている。本実施形態では、重量測定部３０がスタンド部３３を有することによって、本体部１０が水平面に対して所定の傾斜角度で傾斜した状態で台座部３１に立て掛けられるように構成されている。ここで、本体部１０の傾斜角度については、本体部１０が台座部３１に立て掛けられた状態においてユーザが表示部２０（図１参照）を容易に視認することが可能な角度に調整されていることが好ましい。たとえば、表示部２０が垂直面に対して約１度以上約１０度以下の範囲で後方（Ｙ２方向）に傾けられた姿勢となるようにスタンド部３３が形成されるのが好ましい。
【００２８】
また、本体部１０が台座部３１に立て掛けられた状態では、本体部１０と測定ユニット３２とは互いに通信を行うことが可能に構成されている。この場合、本体部１０の背面１１ａ（Ｙ２側）には、スタンド部３３と対向する位置に通信用途を含んだ接続用端子１９が設けられている。また、台座部３１のスタンド部３３にも本体部１０と対向する位置に接続用端子３４が設けられている。したがって、図２に示すように、本体部１０を台座部３１に立て掛けた状態で、接続用端子１９および３４が互いに物理的に接触するように構成されている。これにより、調理支援のアプリケーションソフトが起動されている最中にユーザが入手した食材５が重量測定部３０の載置面３２ａに載置された場合、食材５の重量（グラム数）が測定されて本体部１０の表示部２０に表示されるように構成されている。そして、この状態で、測定中の食材５の重量がこの食材５を特定する情報（食材の名称や個数など）とともに本体部１０に登録されるように構成されている。ここで、接続用端子１９および３４の接続により本体部１０および測定ユニット３２間の通信が図られるのみらなず、本体部１０から重量測定部３０への電力の供給が行われるように構成されていてもよい。以下、食材５の情報を本体部１０に登録する際の具体的な構成を説明する。
【００２９】
調理支援のアプリケーションソフトが実行中の状態では、図５〜図１０に示すような表示内容の画面６０ａ〜６０ｄが表示画面部２１に表示されるように構成されている。
【００３０】
まず、載置面３２ａに何らかの物理的なショックが加えられた場合、本体部１０は「食材登録モード」に移行される。すなわち、測定ユニット３２が載置面３２ａの変位（物理的な揺れや沈み込み）を検出することによってこの信号が重量測定部３０から本体部１０へ伝達されることにより、制御部１６ａの指令に基づいて本体部１０が「食材登録モード」に移行されるように構成されている。これにより、表示画面部２１には、図５に示されるような画面６０ａが表示される。
【００３１】
食材５が測定ユニット３２（図１参照）に載置されると、まず、「ただいま測定中です」という通知画像６１の表示（点滅表示）とともに食材５の重量が測定される。そして、測定の完了とともに通知画像６１が消えて「測定完了しました」という通知画像６２（破線で示す）が新たに表示（点灯表示）されるように構成されている。なお、画面６０ａには、ユーザにより重量の測定動作が一時的に中断される場合に押圧される「中断」ボタン６３、および、食材５の重量の測定動作をやり直す場合に押圧される「リセット」ボタン６４も表示されている。「中断」ボタン６３が押圧された場合には、調理支援のアプリケーションソフトが一時的に停止（保留）の状態に移行されて、本体部１０は、ユーザによる次の操作を待つ待機状態に入る。また、「リセット」ボタン６４が押圧された場合には、通知画像６１の点滅表示とともに食材５の重量の測定動作が再度行われるように構成されている。
【００３２】
また、「測定完了しました」という通知画像６２が所定時間だけ表示された後、画面６０ａの状態から図６に示されるような画面６０ｂの状態に自動的に切り換わる。この画面６０ｂには、重量の測定が完了した食材５の情報を本体部１０に登録するための入力領域６５が表示されるように構成されている。この場合、重量が測定された食材５（図１参照）は３個の蓮根（れんこん）であるので、入力領域６５の各項目欄にはこの情報が入力される。本実施形態では、食材５の情報としては、「食材名」、「個数」および「賞味期限」がキーボード画像５０により入力領域６５中にテキスト形式で入力されるように構成されている。また、食材５の情報に含まれる食材５の「重さ」については、重量測定部３０により測定された重量（この場合２８０ｇであったとする）が自動的に表示されるように構成されている。なお、食材５の「食材名」は、本発明の「食材を特定する情報」の一例である。
【００３３】
また、画面６０ｂにおいては、入力領域６５への食材５の情報の入力が完了した後に、食材５の全ての情報（「食材名」、「個数」、「重さ」および「賞味期限」）を本体部１０に登録する際に押圧される「登録」ボタン６６が表示されるように構成されている。
【００３４】
また、本体部１０においては、「登録」ボタン６６が押圧された後、画面６０ｂの状態から図７に示されるような画面６０ｃの状態に切り換えられる。画面６０ｃには、登録された食材５の保管先（保管場所）が通知画像６７により表示されるように構成されている。この場合、蓮根は野菜であるので、通知画像６７には、「この食材は、冷蔵室／野菜室に保存してください」という内容のメッセージが表示される。このように、食材５の情報が本体部１０に登録される際、食材５が野菜類の蓮根であるという情報に基づいて食材５を保管する場所が本体部１０によりユーザに教示されるように構成されている。
【００３５】
また、画面６０ｃにおいては、別な新たな食材５を続けて登録する場合（画面６０ａ（図５参照）の状態に戻す場合）に押圧される「継続」ボタン６８と、画面６０ａ〜６０ｃを介して行われた登録作業をここで終了する場合に押圧される「終了」ボタン６９とが表示されるように構成されている。「継続」ボタン６８が押圧された場合には、画面６０ａ（図５参照）が再度表示されて、別な食材５の重量が測定されるアプリケーション動作が再開される。また、「終了」ボタン６９が押圧された場合には、後述する「調理支援モード」の操作画面８０ａ（図１１参照）へと移行されるように構成されている。
【００３６】
本実施形態では、図５〜図７に示される一連の画面６０ａ、６０ｂおよび６０ｃを介して複数の食材５が順次ＲＡＭ１６ｄに記憶されて本体部１０に登録されるように構成されている。これにより、本体部１０には、ユーザによる食材５の管理作業の一環としての調理支援用のデータベースが構築される。なお、食材５としては、上記した蓮根のほかのあらゆる食材が含まれる。また、調味料（香辛料）なども本体部１０に登録可能とされている。さらには、ガラス瓶、金属缶やプラスチック容器などの密閉容器に封入された液体類（料理酒や油など）なども本体部１０に登録可能とされている。また、食材５が液体や粒子状／粉状の場合、重量に加えて、梱包されている容器の数（瓶の本数）などの情報も本体部１０には登録されるように構成されている。
【００３７】
また、図８に示すように、本体部１０に登録された食材５の情報は、画面６０ｄにおける確認画面７０のような形式で表示されるように構成されている。これにより、ユーザは、現時点で本体部１０に登録済みとなった全ての食材５の状況を常に確認することが可能とされている。この場合、確認画面７０には登録された１つの食材５の情報が表示されている。そして、「進む」ボタン７１または「戻る」ボタン７２を押圧するたびに、本体部１０に登録されている食材５の情報が１品目ずつ順番に表示されるように構成されている。なお、本実施形態では、確認画面７０には、食材５の食材名、個数、重量および賞味期限に加えて、食材５が現在保管されている場所も表示されるように構成されている。
【００３８】
また、確認画面７０のうち、食材名（れんこん）が表示された領域は、確認ボタン７０ａとしても構成されている。ユーザがこの領域（確認ボタン７０ａ）を押圧した場合、図９および図１０にそれぞれ示す内容の画面６０ｄが表示されるように構成されている。まず、確認ボタン７０ａが１回押圧されることにより、確認画面７０（図８参照）から通知画像７５に切り換えられた状態の画面６０ｄが表示される。この通知画像７５により、今回の食材５（れんこん３個）を登録する前に既に登録されている同じ食材５（蓮根）の保管状況と、今回の登録によって新たに追加／更新される保管状況とが、ユーザに通知されるように構成されている。
【００３９】
また、通知画像７５が表示された状態で「進む」ボタン７１が１回押圧されることにより、通知画像７５から図１０に示されるような通知画像７６に切り換えられた状態の画面６０ｄが表示される。この通知画像７６により、前に既に登録されている同じ食材５（れんこん）の賞味期限と、今回の登録によって新たに加わる蓮根（３個）の賞味期限とがユーザに通知されるように構成されている。なお、「戻る」ボタン７２が２回押圧されることにより、確認画面７０（図８参照）が表示された画面６０ｄの状態に戻される。このようにして、食材５の本体部１０への登録作業および登録された食材５の確認が行われるように構成されている。
【００４０】
また、本実施形態では、調理支援のアプリケーションソフトが実行されて実際の調理支援が行われる場合、図１１〜図１４に示すような表示内容の操作画面８０ａ〜８０ｄがユーザの機器操作に応じて表示画面部２１に表示されるように構成されている。
【００４１】
まず、調理支援時の初期画面では、図１１に示されるような操作画面８０ａが表示される。操作画面８０ａでは、ユーザが調理を行いたい料理の種目がタッチパネル方式で選択可能であるように構成されている。ここでは、料理の種目として、「和食」、「中華」、「コリアン（韓国料理）」、「イタリアン（イタリア料理）」、「フレンチ（フランス料理）」および「その他」の各アイコンボタン８１ａ〜８１ｆが選択可能に構成されている。そして、操作画面８０ａに表示されたいずれかの料理の種目が選択された場合、図１２に示されるような操作画面８０ｂが表示される。ここでは、アイコンボタン８１ｄ（図１１参照）が押圧されてイタリア料理が選択されたとする。操作画面８０ｂでは、イタリア料理の中で調理を行いたい料理の品目が選択されるように構成されている。イタリア料理の場合、料理の品目として、「肉系料理」、「野菜系料理」、「パスタ系料理」、「魚介類料理」、「ピザ」および「その他」の各アイコンボタン８２ａ〜８２ｆが選択可能となるように構成されている。
【００４２】
そして、操作画面８０ｂに表示されたイタリア料理の中のいずれかの料理の品目が選択された場合、図１３に示されるような操作画面８０ｃが表示される。ここでは、アイコンボタン８２ｂ（図１２参照）が押圧されて「野菜系料理」が選択されたとする。操作画面８０ｃでは、本体部１０に予め登録されている複数の食材５の情報に基づいて、野菜系料理のうち現在保管されている食材５を使用して調理が可能な料理名がアイコン画像８３ａ〜８３ｅの状態で表示されるように構成されている。この場合、イタリア料理のうちの「料理Ａ」、「料理Ｂ」、「料理Ｃ」、「料理Ｄ」および「料理Ｅ」の５種類の料理が、現在の食材５によって調理可能な料理レシピとして提案（教示）される例を示している。
【００４３】
ここで、本実施形態では、野菜系料理において本体部１０に登録された複数の食材５のうちの賞味期限の早い食材５が含まれる料理レシピが優先的に教示されるように構成されている。この場合、操作画面８０ｃにおいては、より上側（Ｚ１側）に表示される野菜系料理が、より下側（Ｚ２側）に表示される野菜系料理よりも賞味期限の早い（賞味期限が迫った）食材５が多く含まれる料理となるように各候補の順列が決定されて表示されている。つまり、アイコン画像８３ａで示される「料理Ａ」に賞味期限の差し迫った食材５が最も多く含まれていることになる。またアイコン画像８３ｂで示される「料理Ｂ」には「料理Ａ」の次に賞味期限が迫った食材５が含まれており、アイコン画像８３ｃで示される「料理Ｃ」には「料理Ｂ」の次に賞味期限が迫った食材５が含まれていることになる。なお、操作画面８０ｃには、アイコン画像８３ａ〜８３ｅよりも右側（Ｘ１側）の領域に、アイコン画像８３ａ〜８３ｅが表示されている順序が、使用される食材５の賞味期限の切迫度（食材の古さ／新しさ）に対応していることをユーザに認識させるためのアイコン画像８４が表示されるように構成されている。
【００４４】
また、本実施形態では、アイコン画像８３ａ〜８３ｅには、各料理の名前に加えて、本体部１０に登録された食材５に基づいて各料理の調理可能な人数や、料理ごとの１人当たりの熱量（消費カロリー）の情報までが表示されるように構成されている。したがって、ユーザは、調理可能な人数や消費カロリーを念頭において調理を行いたい料理を選択することが可能に構成されている。
【００４５】
また、ユーザが、「料理Ａ」に対応するアイコン画像８３ａを選択した（押圧した）場合、図１４に示すような操作画面８０ｄに切り換えられるとともに、「料理Ａ」に関する材料構成が詳細に表記されたレシピ表８４が表示されるように構成されている。
【００４６】
ここで、本実施形態では、「料理Ａ」に関するレシピ表８４が表示されて調理支援が開始される際、本体部１０に登録された「料理Ａ」に使用される各食材５の保管されている場所がレシピ表８４中に併記されるように構成されている。たとえば、食材Ｑは冷蔵庫のチルド室に保管されており、調味料Ｕは調味料戸棚に保管されている点が表記されている。これにより、ユーザは、各食材Ｐ〜Ｔの保管場所、および、調味料ＵおよびＶの保管場所を直ちに認識することが可能とされている。なお、レシピ表８４の右端にはスクロールバー８４ａが設けられており、ユーザが指などで触れて動かすことにより、「料理Ａ」を構成する図示されない他の食材５が、順次、レシピ表８４内にスクロールされながら表示されるように構成されている。なお、レシピ表８４内の各食材５が表示された領域を指などで触れることによって、その食材５の管理状況がスピーカ１４を通して読み上げられるように構成されていてもよい。
【００４７】
また、操作画面８０ｄには、現在「料理Ａ」に関するレシピ表８４が表示されていることを示すためのアイコン画像８５がレシピ表８４よりも上側（Ｚ１側）に表示されている。なお、操作画面８０ｄでは、ユーザがアイコン画像８５を１回押圧することにより、レシピ画面８５から「料理Ａ」についての実際の調理方法を説明するための画面（図示せず）に切り換えられるように構成されている。したがって、ユーザはこの画面を閲覧しながら「料理Ａ」の調理に取り掛かる。また、この場合も同様に、調理方法がスピーカ１４を通して読み上げられるように構成されていてもよい。
【００４８】
ここで、本実施形態では、ユーザがアイコン画像８５を押圧した際、レシピ表８４に含まれる「料理Ａ」を構成する食材５が、ＲＡＭ１６ｄから削除されるように構成されている。つまり、レシピ表８４においては「料理Ａ」を構成する食材Ｐ〜Ｔ、および、調味料ＵおよびＶなどのうち、料理Ａに使用される各食材および調味料の所定量に対応する情報（食材名、重さおよび個数（本数、袋数など））が、本体部１０のデータベースから削除されてデータベースが最新の状態に更新されるように構成されている。したがって、ユーザは、調理を行うために決定した料理Ａの材料をユーザ自身が本体部１０のデータベースから所定の操作を行って個別に削除する必要がない。これにより、「料理Ａ」が調理された後は、「料理Ａ」に使用された食材５がデータベースから削除された状態で、図１１〜図１３に示された操作画面８０ａ〜８０ｃが順次表示されながら、現在登録されている食材５によって調理可能な料理の候補が再び提案（教示）されるように構成されている。なお、「料理Ａ」が調理された後でも、ユーザが図５〜図８に示した操作方法で新たな食材５を追加的に登録した場合には、その登録された食材５がデータベースに反映された状態で以降の調理支援が行われる。
【００４９】
また、本実施形態では、調理支援の際に使用される本体部１０は、重量測定部３０に対して着脱可能に装着されている。これにより、ユーザは、食材５の管理作業を行わない場合には本体部１０を重量測定部３０から取り外して他の用途に使用することが可能であるように構成されている。また、これと同時に、調理支援を行うためのアプリケーションソフトを利用しない場合には、重量測定部３０のみを所定の場所に収納することが可能とされている。このようにして、本実施形態による情報端末装置１００は構成されている。
【００５０】
次に、ユーザが情報端末装置１００を使用して調理支援に基づく調理を行う際の構成について説明する。
【００５１】
具体的には、図４に示すように、情報端末装置１００は、上述した調理支援に基づいてユーザが調理を行う際に、通信部１５を介して調理スペースに設置／配置された各調理用機器５０１〜５０７などを個別に制御するように構成されている。なお、調理用機器５０１〜５０７の各々は、情報端末装置１００から赤外線信号などによって送信された制御信号を受信して、この制御信号に基づく所定の動作（電源オン／オフの切換えなど）が実行可能であるように構成されている。
【００５２】
また、情報端末装置１００は、調理スペース内でユーザが調理支援に沿って調理に関する所定の行動を行うことが本体部１０の撮像部１２やマイク１３を介して認識されるように構成されている。調理に関する所定の行動としては、食材５を洗う、切る、焼く、煮る、混ぜる、一時的に保管するなどの行動が含まれる。そして、このような調理支援に対応するユーザの行動が認識された場合、制御部１６ａの指令に基づいて通信部１５から各調理用機器５０１〜５０７に対して制御信号が送信される。
【００５３】
これにより、たとえば、ユーザが調理台の前に立てば通信部１５とキッチン照明器具５０１との通信が行われてキッチン照明器具５０１の電源が投入される。また、料理レシピに沿って食材５の加熱調理が行われる場合には、通信部１５と換気扇５０２との通信が行われて換気扇５０２の電源が投入されるとともに、通信部１５とガスコンロ５０３との通信が行われてガスコンロ５０３が点火可能な状態に遷移される。また、電子レンジ５０４での調理が必要なタイミングでは、通信部１５と電子レンジ５０４との通信が行われて電子レンジ５０４を使用可能な状態に遷移させるように構成されている。また、選択された料理レシピにおいて調理中に氷が必要な場合であって冷蔵庫５０５の冷凍室に保管されている氷が所定量に達していないような場合には、通信部１５により冷蔵庫５０５が制御されて製氷動作が行われるようにも構成されている。また、ガスコンロ５０３や電子レンジ５０４の制御内容（コンロの火力の調整、電子レンジの加熱時間など）は、料理レシピの情報に含まれる調理中の料理の人数（何人前の料理であるか）に合わせて適宜調整されるように構成されている。
【００５４】
また、一連の調理が終了したことが認識された場合には、給湯器５０６および食洗器５０７の電源が投入されるように構成されている。このように、情報端末装置１００では、食材５の登録に基づいて食材５を管理する機能のみならず、調理支援においてユーザが選択した調理内容に基づいて調理用機器５０１〜５０７などが制御可能であるように構成されている。
【００５５】
本実施形態では、上記のように、情報端末装置１００は、重量測定部３０に一体的に装着され、重量測定部３０により重量が測定された食材５の情報が登録される本体部１０を備えることによって、ユーザは、本体部１０が一体的に装着された重量測定部３０を用いて食材５の重量を測定して食材５の情報を登録することができる。これにより、食材５の情報を登録／更新する作業を同じ１つの本体部１０を介して行うことができる。この結果、ユーザによる食材５の管理作業が煩雑になることを抑制することができる。また、本体部１０に登録された食材５の情報が本体部１０の表示部２０より教示されるように構成されているので、ユーザは、本体部１０による食材５の登録状況を同じ本体部１０を介して容易に把握することができる。これにより、ユーザは、登録された食材５を用いての調理計画などを容易に立案することができる。
【００５６】
また、本実施形態では、本体部１０は、重量測定部３０（台座部３１）に対して着脱可能に装着されている。これにより、ユーザは、食材５の管理作業を行わない場合には本体部１０を重量測定部３０から取り外して他の用途に使用することができるので、本体部１０を有効に活用することができる。また、重量測定部３０は本体部１０から取り外し可能となるので、食材５の管理作業を行わない場合に、重量測定部３０のみを容易に所定の場所に収納することができる。
【００５７】
また、本実施形態では、本体部１０は、食材５の情報を本体部１０に登録するための入力部となる表示部２０を含み、重量測定部３０により測定された食材５の重量と、表示部２０（画面６０ｂ）を介して入力される「食材名」（食材５を特定する情報）とによって、食材５の情報が本体部１０に登録されるように構成されている。これにより、重量測定部３０と重量測定部３０に一体的に装着された本体部１０とによって、食材５の管理作業の一環としての調理支援用のデータベースの作成を容易に行うことができる。
【００５８】
また、本実施形態では、食材５を特定する情報は、表示部２０（入力部）を介して本体部１０に登録される食材５の個数の情報を含んでいる。これにより、数が数えられる食材５については登録された重量のみならずその食材５の個数に基づいても管理することができるので、ユーザは、教示される調理支援の内容をより具体的（感覚的）に把握することができる。また、食材５の個数の増減によって、食材５の補充の有無を確実に把握することができる。
【００５９】
また、本実施形態では、少なくとも重量測定部３０により測定された食材５の重量を表示可能な表示部２０を有しており、食材５の情報は、表示部２０を介して本体部１０に登録されるように構成されている。これにより、ユーザは、表示部２０を介した視覚的な情報に基づいて食材５の重量を含む食材５の情報を本体部１０に容易に登録することができる。また、騒音が発生している場所において使用される場合など、音声のみでは操作内容が認識できにくい状況においても、本体部１０の表示部２０は有効な入力手段となりうる。
【００６０】
また、本実施形態では、食材５の情報が本体部１０に登録される際、本体部１０により食材５の情報に基づいて食材５を保管する場所が教示されるように構成されている。これにより、登録された食材５の適切な保管場所が教示されるので、ユーザは、保管方法を間違えることなく各食材５を適切に保管して管理することができる。
【００６１】
また、本実施形態では、本体部１０に登録された食材５の情報に基づいて本体部１０により調理支援が行われるように構成されており、調理支援が行われる際、本体部１０に登録された食材５の保管されている場所が本体部１０により教示されるように構成されている。これにより、調理を行う食材５の保管場所が教示されるので、ユーザが食材５の保管場所を探すことに手間取らない分、ユーザはより迅速でかつ調理支援の内容に沿った調理を行うことができる。
【００６２】
また、本実施形態では、本体部１０に登録された複数の食材５のうちの賞味期限の早い食材５が含まれる料理レシピが優先的に教示されて調理支援が行われるように構成されている。これにより、調理支援に基づきユーザが決定した料理レシピには賞味期限の早い食材５が含まれるので、賞味期限を過ぎた食材５がいつまでも残されることが抑制される。これにより、本体部１０に登録された食材５を効率よく使用することができる。また、ユーザは、食材５の最新の登録状況を容易に把握することができる。
【００６３】
また、本実施形態では、本体部１０は、食材５の情報を記憶するためのＲＡＭ１６ｄをさらに含み、調理支援の際に教示されて決定された料理レシピに含まれる食材５がＲＡＭ１６ｄから削除されることにより食材５の情報が更新されるように構成されている。これにより、順次調理に使用されていく食材５の情報が料理レシピを基準として管理されるので、登録された食材５の情報を有効に活用して継続的に管理することができる。また、使用された食材５の情報をユーザにより逐一修正する手間が省略されるので、食材５の管理作業が煩雑になることをより抑制することができる。
【００６４】
また、本実施形態では、重量測定部３０は、薄板形状を有する本体部１０を立てた状態で装着するためのスタンド部３３を一体的に含んでいる。これにより、ユーザは、重量測定部３０のスタンド部３３によって立てられた状態の本体部１０を介して食材５の情報を容易に登録することができる。また、薄板形状の本体部１０が立てられる分、情報端末装置１００の占有面積が減少されて、調理台などの作業スペースを有効に使用することができる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記実施形態では、概略薄板形状の本体部１０をスタンド部３３が形成された台座部３１に立て掛けた状態で装着して情報端末装置１００を構成した例について示したが、本発明はこれに限られない。たとえば、図１５に示す変形例のように構成してもよい。すなわち、概略薄板形状の筐体２１１を有する本体部２１０と、本体部２１０の一方の辺部２１０ａに沿って取り付けられ矢印Ｗ方向に沿って回動可能な概略薄板形状の蓋部材２３０とによって情報端末装置２００を構成してもよい。ここで、蓋部材２３０は、情報端末装置２００の非使用時や運搬時には閉じられて表示部２０を覆う役割を有している。この情報端末装置２００では、蓋部材２３０の内面側（蓋部材２３０が閉じられた状態で表示部２０に対向する側）に測定ユニット２３２が内蔵されている。そして、図１５に示すように蓋部材２３０を開いた状態で食卓テーブルの上面や台所の調理台（図示せず）の上面などの水平面に設置した場合に、蓋部材２３０に設けられた測定ユニット３２を用いて食材２０５の重量を測定するとともに、食材２０５の情報を本体部２１０に登録するように構成してもよい。なお、本体部２１０は、本発明の「情報端末本体部」の一例である。また、蓋部材２３０は、本発明の「重量測定部」の一例である。
【００６７】
また、上記実施形態では、食材５を測定ユニット３２の載置面３２ａ（図１参照）に直接載置して食材５の重量を測定するように構成した例について示したが、本発明はこれに限られない。たとえば、上述した情報端末装置２００のように、食材２０５（キャベツなど）が容器２０６に入れられた状態で載置面２３２ａに載置されて食材２０５の重量が測定されてもよい。この場合、予め容器２０６の重量を測定しておき、図１５の状態で測定された合計重量から容器２０６の重量を差し引いて食材２０５の正味重量を求めて本体部２１０に登録するように構成される。このような方法は、ユーザが、都度、手動で行ってもよいし、調理支援のアプリケーションソフトに食材の重量を補正するアルゴリズムを設けて対応するようにしてもよい。特に、魚介類や肉類など水気／油気を含んでいるため購入時にすでに容器トレイなどに入れられた状態の食材においては、容器ごと測定ユニット３２に載せて重量の計測を行うことが可能である。
【００６８】
また、上記実施形態では、本体部１０と重量測定部３０との通信を図るために接続用端子１９および３４をそれぞれ設けた例について示したが、本発明はこれに限られない。たとえば、重量測定部３０に無線通信部を設けておき、この無線通信部と本体部１０の通信部１５とを使用して、測定された食材５の情報（重量）が本体部１０に送信されるように構成されていてもよい。
【００６９】
また、上記実施形態では、図６に示される画面６０ｂにおいてはキーボード画像５０を介して入力領域６５に食材５の情報が入力される例について示したが、本発明はこれに限られない。キーボード画像５０が表示される領域にキーボード画像５０を表示せず、たとえば、様々な食材を模したアイコン画像や、個数（１個、２個、３個など）を模したアイコン画像などを表示させてもよい。そして、ユーザがアイコン画像を押圧することによって、入力領域６５に食材５の情報が入力されるように構成されていてもよい。あるいは、キーボード画像５０と上述のアイコン画像との両方を表示して、いずれの入力方法によっても食材５の情報が入力可能であるように構成されていてもよい。
【００７０】
また、上記実施形態では、表示部２０にキーボード画像５０を表示させてキーボード画像５０から食材５の情報が入力される例について示したが、本発明はこれに限られない。たとえば、本発明の「入力部」として、本体部１０に設けられた撮像部１２を用いて食材５を撮像し、画像認識結果に基づいて食材５の種類（名称）および個数などを判別してその結果が入力領域６５に入力されるように構成されていてもよい。また、本発明の「入力部」として、本体部１０に設けられたマイク１３に向かってユーザが音声を発することにより、食材５の種類および個数などが入力されるように構成されていてもよい。また、撮像部１２やマイク１３については、入力領域６５への食材５の情報のみならず、「はい（Ｙｅｓ）」や「いいえ（Ｎｏ）」などのユーザの意思判断を含む操作画面内のボタン操作に相当する入力手段としても対応可能であるように構成されていてもよい。入力部としての撮像部１２やマイク１３は、水気のある食材などをさわった場合などのユーザが手が使えない際の有効な入力手段となる。
【００７１】
また、上記実施形態では、図１３に示される操作画面８０ｃのように、本体部１０に登録された複数の食材５のうちの賞味期限の早い食材５が含まれる料理レシピが優先的に教示されて調理支援が行われるように構成した例について示したが、本発明はこれに限られない。たとえば、消費カロリー（熱量）の大小に基づいて料理の順列が決定されて料理レシピとして教示されてもよい。また、健康上好まれる料理を優先的に表示するとともに、そのユーザにとって健康上好ましくない料理を極力表示しないなど、食事制限情報などが別途登録されて存在する場合にはこれを加味して料理の順列が決定されるように構成されていてもよい。また、パーティ向け料理（多人数向け料理）や個人（少人数）向け料理などの選別条件を設けて、ユーザが所望する条件に合致した内容の料理レシピが優先的に教示されるように構成されていてもよい。また、情報端末装置１００がサーバを経由してインターネットなどの外部ネットワークに接続される場合、外部ネットワークを介して入手された料理レシピが「アイデア料理」などと称されて教示されてもよい。この場合、アイコンボタン８１ａ〜８１ｆが表示される階層（操作画面８０ａ）またはアイコンボタン８２ａ〜８２ｆが表示される階層（操作画面８０ｂ）においてユーザに提案されることが好ましい。また、調理時間の短い料理レシピから優先的に教示されるように構成されていてもよい。また、過去に教示された料理レシピの履歴に基づいて、今回教示される料理レシピが決定されるように構成されていてもよい。これにより、同じ種類の料理が繰り返し教示されることが回避される。
【００７２】
また、ユーザに教示される料理レシピのうち、本体部１０に登録された複数の食材５の全てが完全一致しない場合（すべての材料が揃っていない場合）においては、不足する食材の代替品が登録されているならばその食材を引き当てて調理支援が行われるようにアプリケーションプログラムが構成されていてもよい。たとえば、カレー料理を構成する食材として、現在牛肉以外の食材が登録されている（在庫されている）にもかかわらず牛肉が登録されていない場合であって、この牛肉のかわりに鶏肉が登録されている場合には、牛肉の代替品として鶏肉が引き当てられてカレー料理が教示されるように構成されていてもよい。本体部１０に登録された食材５の情報に基づいて本体部１０により調理支援が行われるとは、ここに記載するような態様で調理支援が行われることも含まれる。
【００７３】
また、上記実施形態では、ユーザに教示される料理レシピの各々が、互いに主菜および副菜の関係を有して教示されるように構成されていてもよい。たとえば、図１３の操作画面８０ｃにおいて「料理Ａ」が選択された場合、次に操作画面８０ｃにおいて表示される料理は、「料理Ａ」を除く他の料理（たとえば、「料理Ｂ」〜「料理Ｅ」）が「料理Ａ」に対して副菜の関係にあるようなものが優先的に表示されることが好ましい。
【符号の説明】
【００７４】
５、２０５  食材
１０、２１０  本体部（情報端末本体部）
１６ｄ  ＲＡＭ（記憶部）
２０  表示部
３０  重量測定部
３３  スタンド部
１００、２００  情報端末装置
２３０  蓋部材（重量測定部）
【図１】
2013160704.tif 000003
【図２】
2013160704.tif 000004
【図３】
2013160704.tif 000005
【図４】
2013160704.tif 000006
【図５】
2013160704.tif 000007
【図６】
2013160704.tif 000008
【図７】
2013160704.tif 000009
【図８】
2013160704.tif 000010
【図９】
2013160704.tif 000011
【図１０】
2013160704.tif 000012
【図１１】
2013160704.tif 000013
【図１２】
2013160704.tif 000014
【図１３】
2013160704.tif 000015
【図１４】
2013160704.tif 000016
【図１５】
2013160704.tif 000017